(57)【要約】【課題】  本願の出願人が先に発明した等張液の特徴を生かした清拭物品に関する。【解決手段】  清拭材５と、清拭材を収容する包装体６とから成り、清拭材は清拭素材２に少なくとも保存剤９と海水又は海洋深層水由来の等張液３とを含浸しており、清拭材が焼却可能な清拭素材から成るウェットティシュ５１と紙おしぼり５２と濡れコットン５３の何れか１つであることを特徴とする。  海洋深層水が日本海固有冷水Ｎであり、等張液は日本海固有冷水Ｎを希釈水４、特に日本海固有冷水より分離した深層水系淡水ｎ１により生理食塩液と同等の浸透圧２００〜４００ｍＯｓｍに調整したものである。また、清拭材に等張液と共に補助成分７を含浸することも可能である。【選択図】        図１−１
2011194097.tif 000002
【特許請求の範囲】
【請求項１】
清拭材（５）と、清拭材（５）を収容する包装体（６）とから成り、清拭材（５）は清拭素材（２）に少なくとも海水又は海洋深層水由来の等張液（３）と保存剤（９）を含浸していることを特徴とする清拭物品。
【請求項２】
請求項１の清拭物品において、海洋深層水が日本海固有冷水（Ｎ）であり、等張液（３）は日本海固有冷水（Ｎ）を希釈水（４）により生理食塩液と同等の浸透圧２００〜４００ｍＯｓｍに調整したものであることを特徴とする清拭物品。
【請求項３】
請求項２の清拭物品において、希釈水（４）が日本海固有冷水（Ｎ）より分離した深層水系淡水（ｎ１）であることを特徴とする清拭物品。
【請求項４】
請求項１乃至請求項３の清拭物品において、清拭材（５）に補助成分（７）を含浸しており、補助成分（７）は化粧品に使用されている化粧品成分（７１）と、趣向性を有する趣向成分（７２）との少なくとも１成分であることを特徴とする清拭物品。
【請求項５】
請求項１乃至請求項４の清拭物品において、清拭材（５）が清拭素材（２）から成るウェットティシュ（５１）と紙おしぼり（５２）と濡れコットン（５３）の何れか１つであることを特徴とする清拭物品。
【請求項６】
請求項１乃至請求項５の清拭物品が、ウェットティシュ（５１）を収納するポケットタイプ（１１）と、ピロー包装タイプ（１２）と、詰換タイプ（１３）と、ボックスタイプ（１４）と、ボトルタイプ（１５）、及び紙おしぼり（５２）を収納するスティックタイプ（１６）と、濡れコットン（５３）を収納するパックタイプ（１７）であることを特徴とする清拭物品。
【発明の詳細な説明】
【技術分野】
【０００１】
本発明は、ウェットティシュや紙おしぼり又は濡れコットン等の清拭材を収容した清拭物品に関するもので、特に皮膚に対する洗浄効果と保湿効果と保護効果等に優れ、願わくは、治癒力を備えた清拭物品に関するものである。
【背景技術】
【０００２】
本願の出願人は、先に海水又は海洋深層水由来の等張液を発明し、特願２００７−１５２４９８（以下、先願等張液とする）として出願している。この先願等張液は明細書に記載した通り、自然界に存在する海洋深層水又は海水を用いることで、人工塩から成る生理食塩液より無機栄養塩類に富んでいる。しかも希釈水として、海洋深層水又は海水を、同じ海洋深層水又は海水より分離した深層水系淡水を用いて浸透圧を２００〜４００ｍＯｓｍに調整したことにより、人工塩から成る生理食塩液より動物臓器や組織細胞の保存に適することが実験例によって証明されています。
【０００３】
一方、清拭物品（衛生用繊維ウェブ製品とも称する）の清拭材として、ウェットティシュ（濡れティシュとも称する）や紙おしぼり（以下、ウエットタオルも含む）、或は濡れコットンが広く一般に用いられている。その内、ウェットティッシュは、手を洗浄した後の手ふき、赤ちゃんや大人用の身体又はお尻拭き用として使用されているし、乳幼児の玩具、食卓、食器、調理器具等の清拭にも使用されているばかりか、台所や調理場等において、調理台やまな板、或は食器類や調理器具の清拭に使用したり、油切りや野菜の水切りにも用いられている。
また、紙おしぼりとして、アルコール水溶液等を含浸させたウェットタオル（綿タオル、又は紙タオルとも称する）を包装したものが知られている。
【０００４】
濡れコットンは、清浄及び清拭を目的とする清浄綿と、洗浄と消毒を目的とする消毒綿に区別され、その内、清浄綿は、脱脂綿等に薬液を染み込ませ、フイルムパックで密封し、滅菌処理するものであり、開封しない限り無菌状態に保たれる。その用途は一般家庭での使用を中心としており、例えば、（１）赤ちゃんの肌若しくわ口まわりを綺麗に拭く、（２）授乳時に乳首や乳房を綺麗に拭く、（３）オムツ交換時にお尻を綺麗に拭く、（４）生理時や出産後、局部を綺麗に拭く、（５）目の回りを綺麗に拭く等に使用され、消毒綿は、注射を打つ前に使用される等、医療現場での使用を中心としており、即ち、手指・皮膚の洗浄・消毒、傷面の洗浄・消毒に使用されている。また、使い捨て濡れコットンの如く、不織布やパルプ繊維の乾式パルプシートに水や清浄剤、或は保存剤等をしみ込ませ、包装したものも知られている。
これらのウェットティシュ、紙おしぼり、濡れコットンの清拭物品には、水、アルコール（清涼感を得る）、保湿成分（肌あれ防止）、洗浄成分（油脂分の除去）等を含浸させると共に、カビや細菌の繁殖を抑える保存剤を含浸している。例えば、保存剤として防腐剤（塩化セチルピジウム、安息香酸、安息香塩酸、ソルビン酸、酢酸、亜硫酸塩等）を含浸させたり、消毒剤（エタノール、アクリノール、塩化ベンザルコニウム、次亜塩素酸ナトリウム等）や殺菌剤（サルチル酸、尿素、塩酸クロルヘキシン、酸化亜鉛等）を含浸させ、或は肌あれを抑える目的等で、アロエベラエキスー２、ヒアロン酸等の保湿成分の一種類以上を含浸させている。
【先行技術文献】
【特許文献】
【０００５】
【特許文献１】特開平０７−２０４１４８号公報
【特許文献２】特開平０７−２０４１１８号公報
【特許文献３】特開平１１−２８１７１号公報
【特許文献４】特開２００６−１４９９８９公報
【特許文献５】特開２００８−３０３１８２公報
【発明の概要】
【発明が解決しようとする課題】
【０００６】
清拭物品の清拭材に、水分と、水分による酸化変色や細菌繁殖を防ぐための保存剤（消毒剤、抗菌剤、防腐剤等）とを含浸しているが、水分して工業用水を用いる場合、保存剤を大量に含浸する必要があるし、水分して飲料水を用いる場合、飲料水の処理に用いた殺菌消毒剤との関係で、保存剤の種類や使用量に制限があった。
また、水分してアルコール類を用いることも可能であるが、アルコール類は揮発性が高いので、その取扱に熟練を要する問題があった。
そこでこの発明は、使用するまで清潔性を保ち得る清拭物品を開発し得ないものかと研究していた所、本願の出願人が先に発明した先願等張液の特徴を生かすことによって柔軟で安全性に優れ、特に、皮膚に対する洗浄効果と保湿効果と保護効果等に優れ、しかも、治癒力をも期待できる清拭物品を開発するに至ったものである。
【課題を解決するための手段】
【０００７】
この発明の清拭物品は前記課題を解決するため、請求項１として清拭材と、清拭材を収容する包装体とから成り、清拭材は清拭素材に少なくとも海水又は海洋深層水由来の等張液と保存剤を含浸していることを特徴とする。
請求項２は、請求項１の清拭物品において、海洋深層水が日本海固有冷水であり、等張液は日本海固有冷水と希釈水により生理食塩液と同等の浸透圧２００〜４００ｍＯｓｍに調整したものであることを特徴とする。
請求項３は、請求項２の清拭物品において、希釈水が日本海固有冷水より分離した深層水系淡水であることを特徴とする。
【０００８】
ここで清拭素材とは、少なくとも吸水性と柔軟性に富むパルプや繊維から成るガーゼ、織布、不織布を言い、例えば木材繊維（針葉樹、広葉樹）、非木材植物繊維（麻、靱皮繊維、木綿、ケナフ等）、その他の天然繊維（木綿、羊毛、絹等）、合成繊維であるポリオレフィン繊維（ポリエチレン、ポリプロピレン等）、ポリエステル繊維（ポリエチレンテレフタレート、ポリブチレンテレフタレート等）、ポリアクリル繊維、ナイロン繊維等、更に半合成繊維（レーヨン／合繊、コットン、パルプ／合繊及びパルプ／レーヨン／合繊）等を言い、これらの繊維は単独で用いてもよく、又は２種以上を混合して用いてもよい。なめらかさ、しなやかさ、引張強さ、肌触り性のよいことが好ましい。更に、下水に投下し得る素材や焼却可能な素材を用いることが望ましい。
清拭材とは、紙性の清拭素材に等張液と保存剤、又は更に補助成分を含浸させたもの、不織布の清拭素材に等張液と保存剤、又は更に補助成分を含浸させたものを言う。この清拭材の製造手段として、清拭素材に予め等張液と保存剤を含浸させ、等張液と保存剤を含浸した清拭材を包装体にて収容して封止するか、包装体の開口部より内部に保存剤と海水又は海洋深層水由来の等張液を一定量入れ、その等張液と保存剤に清拭素材を浸かるように収容して封止する。
【０００９】
ここで海洋深層水とは、海面下２００メートル以上の深海から取水したものであり、無機栄養塩類に富み、有機物や細菌類が少なく清浄性があるものを言い、日本海固有冷水とは、富山湾の沖合いの深度約３２０ｍより採取される深層水であって、深層水の３大要素である「低温性」と「清浄性」と「富栄養性」とを全て満足させ、特に「低温性」にあっては年間を通じて２℃以下の低温で水温変化が少なく、現在日本で採取されている他地域の深層水温度の８〜１０℃に比較して、とても低いことが挙げられる。
ここで生理食塩液とは、化学的に製造された合成塩（人工塩とも称する）を主とし、塩化ナトウリウムを０．８５〜０．９５ｗ／ｖ％を含む水溶性の注射剤であり、主に細胞外液欠乏、ナトリウム欠乏、クロル欠乏時の補給に２０〜１０００ミリリットルを、皮下・静脈内注射又は点滴静注に用いられている。また、大量出血等に伴う体液喪失時の補給、各種注射薬の溶解や希釈にも広く利用されている。更に、皮膚・創傷面・粘膜の洗浄、湿布及び含嗽、噴霧吸収剤として気管支粘膜洗浄に用いる。その他、医療用器具の洗浄にも用いられている。
ここで浸透圧とは、血液の浸透圧（２８０〜３００ｍＯｓｍ／Ｌ、ｐＨ７．２〜７．４）を言い、等張液とは、本願の出願人が先に発明した先願等張液を言い、その特徴は、海水又は海洋深層水を浸透圧２００〜４００ｍＯｓｍに調整することで、生理食塩液より動物臓器や組織細胞の保存に適することである。
【００１０】
請求項４は、請求項１乃至請求項３の清拭物品において、清拭材に補助成分を含浸しており、補助成分は化粧品に使用されている化粧品成分と、趣向性を有する趣向成分との少なくとも１成分であることを特徴とする。
請求項５は、請求項１乃至請求項４の清拭物品において、清拭材が清拭素材から成るウェットティシュ、紙おしぼり、濡れコットンの何れか１つであることを特徴とする。
【００１１】
ここで希釈水とは、塩分濃度を薄めることの出来る水で、天然水や人工水であっとも良いが、好ましくは飲用可能な水を言い、深層水系淡水とは、日本海固有冷水を例えば出願人が開発した多段式電気透析処理手段を用いて脱塩したものを言うが、脱塩によって日本海固有冷水に含有していたミネラル成分の総てが失われることはない。
ここで保存剤とは、人体に安全で、清拭材を使用するまで病原菌（大腸菌、黄色ブドウ球菌、緑膿菌）が発生しないようにするもので、（社）日本衛生材料工業会の基準、及び化粧品基準に準拠する殺菌剤、消毒剤、防腐剤等を言い、殺菌・消毒剤として、例えばアクリノール、エタノール、塩化ベンザルコニウムや、薬事法で医薬部外品となっているクロルヘキシジングロコン塩酸、ベンザルコニウム塩化物等を用いる。
ここで補助成分とは、使用目的に応じて添加する成分を言い、例えば化粧品成分や趣向成分を言う。その内、化粧品成分とは、汗をぬぐったり、汚れ落し、化粧落し、顔拭き等として用いる保湿剤、溶剤等を言い、保湿剤として、例えばグリセリン、ジグリセリン、ポリグリセリン、平均分子量２００以上１０００未満のポリエチレングリコール、プロピレングリコール、１，３−ブチレングリコール、エチレングリコール、ジエチレングリコール等の多価アルコール類、果糖、ブドウ糖、オリゴ糖、トレハロース、グリシンベタイン、ピロリドンカルボン酸、ピロリドンカルボン酸塩、乳酸、乳酸ナトリウム等を用いる。また、趣向成分とは、香料・精油、色素等を言う。
【００１２】
請求項６は、請求項１乃至請求項５の清拭物品が、ウェットティシュを収納するポケットタイプとピロー包装タイプと詰換タイプとボックスタイプとボトルタイプ、及び紙おしぼりを収納するスティックタイプ、濡れコットンを収納するパックタイプであることを特徴とする。
【００１３】
ここでウェットティシュとは、濡れティシュとも称され、例えば、化粧用又は衛材用、及び吸収体製品のキャリアーとして広く一般的に使用され、且つ肌拭き（手、顔、赤ちゃんの尻等）として使用するものを言い、紙おしぼりとは、お手拭きや拭き紙とも称され、広く一般的に使用され、主に手拭きや身辺器具拭きとして用いるものを言う。
ここで濡れコットンとは、ウェットティシュより厚手で、強度が強く、破れにくく、保水性に優れ、拭き心地が大変良いものを言い、大きさにおいて区別すると、８ｃｍ各程度を濡れコットンと称し、１５ｃｍ角程度を濡れナプキンと称する。また、目的別に区別すると、清浄及び清拭を目的とする清浄綿と、洗浄と消毒を目的とする消毒綿とに区別され、その内、清浄綿は、脱脂綿等に薬液を染み込ませ、フイルムパックで密封し、滅菌処理するものであり、開封しない限り無菌状態に保たれる。その用途は一般家庭での使用を中心としており、例えば、（１）赤ちゃんの肌若しくわ口まわりを綺麗に拭く、（２）授乳時に乳首や乳房を綺麗に拭く、（３）オムツ交換時にお尻を綺麗に拭く、（４）生理時や出産後、局部を綺麗に拭く、（５）目の回りを綺麗に拭く等に使用される。他方、消毒綿は、注射を打つ前に使用される等、医療現場での使用を中心としており、即ち、手指・皮膚の洗浄・消毒、傷面の洗浄・消毒に使用されている。
これらのウェットティシュ、紙おしぼり、濡れコットン（以下、濡れナプキンを含むものとする）は、室内（柱、障子、戸、ドア等）、室内器具（冷蔵庫、電話機、蛍光燈、電球、テレビやパソコンの画面等）、身辺器具（テーブル、椅子等）の清掃、台所で使用する食器類、まな板、包丁、調理器具から水分を拭き取り等、その利用範囲は自由である。
【００１４】
ここで包装体とは、清拭材を取出し可能に収容し、その清拭材の機能を一定期間に渡り維持するものであり、ウェットティシュの包装体は、少なくとも通水不能な樹脂フイルムやラミネートフイルムから形成され、ウェットティシュの収納量に応じて形態が異なるものを言い、小袋体とピロー袋体と角筒袋体、及び合成樹脂又は厚紙から成る箱状容器と筒状容器を言い、紙おしぼりの包装体は、小袋体を長手方向に延長した長細袋体を言い、濡れコットンの包装体は、ラミネートフイルムから成るパック袋体を言う。これらの包装体は、焼却可能なものが好ましい。小袋体と長細袋体には透明樹脂を用い、内部が透視可能にすることが望ましい。
ここでポケットタイプとは、小袋体内にウェットティシュを１枚収納する使い捨てタイプと、数枚収納する携帯タイプとを言い、ピロー包装タイプとは、ピロー袋体内にウェットティシュを適宜枚数まとめて収納し、或はウェットティシュを互い違いに折り重ねて積層し、その積層体を収納し、袋取出口を塞いでいるピローを剥がし、取出口より一枚ずつ取出して使用するものを言い、ボックスタイプとは、箱状容器内にウェットティシュを一定量収納し、蓋取出口より取出して使用するものを言い、ボトルタイプとは、筒状容器内にウェットティシュを一定量収納し、底取出口より取出して使用するものを言い、詰替タイプとは、角筒袋体内にウェットティシュを適宜まとめて収納し、ボックスタイプやボトルタイプのウェットティシュを使い切った時に補充するものを言う。
ここでステックタイプとは、長細袋体を筒状に膨らませ、内部に紙おしぼりを一枚収容するものを言い、パックタイプとは、パック袋体内に濡れコットンを一枚〜適宜枚数収容するものを言う。
【００１５】
清拭材における水分含浸率として採用し得る範囲は０．０１〜５０重量％、好ましい範囲は０．１〜３０重量％である。０．０１重量％未満であると、湿り気不足でなめらかさが十分に得られず、肌触り効果も少なくなり、５０重量％以上であると水残りが発生する場合がある。特に肌に対する保護保湿感、べたつきの無さ等を考慮して含浸することが好ましい。尚、ウェットティシュの紙湿潤強度を、０．５〜３．０Ｎ／２ｍｍ、好ましくは１．８〜２．０Ｎ／２５ｍｍとすれば、使用後、下水に流して処理し得る。
紙湿潤強度は、ＪＩＳ  Ｐ８１３５に従って測定し、水分含浸率は、乾燥状態にある清拭素材の重量に対する含浸される水分重量の比率を示す。
紙おしぼりと濡れコットンは、下水に流して処理することがないので、ウェットティシュより紙湿潤強度を高め、水分含浸率をより低くすることも可能である。
【発明の効果】
【００１６】
本発明の清拭物品は上記のとおりであるから、次に記載する効果を得ることができる。
請求項１の清拭物品は、清拭素材に等張液と保存剤を含浸し、その清拭材を包装体にて密封しているので、包装体を開封して清拭材を取出すまで等張液と保存剤が蒸発することが少ない。清拭材に等張液と保存剤を含浸しているが、そのことにより使用が制限されることはなく、従来の清拭材と同様の用途に使用し得る。
また、清拭体に含浸する等張液として、皮膚の清潔維持等に役立つこと、及び自然治癒の助勢に役立つこと等が証明されている先願等張液を用いているので、先願等張液との相乗効果が期待できる。即ち、等張液と保存剤を含浸した清拭材で肌（以下、皮膚を含む）を拭けば、肌の汚れを綺麗に拭き取り、清潔にすることができるばかりか、肌に対する自然治癒の助勢（肌の保護）に役立つこと等が期待できる。特に、使用するまで清拭材におけるカビ類の増殖を抑制することも期待できる。その結果、皮膚用の化粧品類として特に有益である。
また、等張液と保存剤を含浸する清拭体で身体を拭いても、べたつきやガサつきがなく、良好な肌触り（保護保湿感）を得ることができるし、身体の熱傷、ほてり、日焼時、患部の湿布等に使用すれば、それらの治癒に役立つことも推測し得る。
【００１７】
請求項２の清拭物品は、請求項１の特徴に加えて、等張液（先願等張液）を生理食塩液と同等の浸透圧２００〜４００ｍＯｓｍに調整してあるから、肌の清拭体として最適である。また、乳幼児の玩具、食卓、食器、まな板等の清拭に安心して使用できる。
更に、マグネシウムに患部を湿潤する効果があることが知られているが、等張液（先願等張液）にマグネシウムを多く含有する日本海固有冷水を用いているので、身体の熱傷、ほてり、日焼等における治癒の一部を担う効果が期待できる。
請求項３の清拭物品は、請求項２の特徴に加えて、希釈水として日本海固有冷水より分離した深層水系淡水を用いているので、清拭素材に含浸する水分の総てが日本海固有冷水由来となる。その結果、一段と効果が向上する。
【００１８】
請求項４の清拭物品は、請求項１，２，３の特徴に加えて、等張液に補助成分を添加することで相乗効果が期待できる。例えば、補助成分として化粧品成分を添加すると、その相乗効果によって肌用の清拭物品として有益であるし、補助成分として趣向成分を添加すると、その相乗効果によっていやし効果が期待できる。
請求項５の清拭物品は、請求項１乃至４の特徴に加えて、清拭材がウェットティッシュや濡れコットンの場合、風合い（肌触り及び柔軟性）が良好であるので、主に肌拭き（手、指、顔、赤ちゃんや介護用の尻拭き等）としての利用、即ち、化粧用又は衛材用として使用すると効果を発揮する。また、乳幼児の玩具、食卓上の食べこぼし等の水分を含んだ汚れを拭き取りにも使用し得る。
清拭材が紙おしぼりの場合、主に手拭きや身辺器具拭きとして利用し得るばかりか、食卓、食器類、台所で使用するまな板、包丁、調理器具から水分を拭き取る場合にも利用し得る。更に、ウェットティシュ、紙おしぼり、濡れコットンは、室内（柱、障子、戸、ドア等）、室内器具（冷蔵庫、電話機、蛍光燈、電球、テレビやパソコンの画面等）、身辺器具（テーブル、椅子等）の清掃時にも利用する場合もあり、その利用範囲は自由である。
【００１９】
請求項６の清拭物品は、請求項１乃至５の特徴に加えて、清拭材は少なくとも等張液と保存剤を含浸しているが、ウェットティッシュである場合、ポケットタイプとピロー包装タイプと詰替タイプとボックスタイプと、ボトルタイプとして提供し得るし、紙おしぼりである場合にはスティックタイプとして、また、濡れコットンである場合にはパックタイプとして提供できる。即ち、従来の清拭物品と同様の形態として提供できるので、安心感がある外、等張液特有の効果を期待し得る。また、そのことにより包装形態を大きく変更する必要がないので、包装体を安価に提供し得る。
特にウェットティッシュと濡れコットンは、吸水性に優れると共に、風合い（肌触り及び柔軟性）が良好になるので、身体（主に手、指）における汚れの拭き取り、赤ちゃんや介護用のおしり拭き、身の回りにある器物の汚れ拭き取り等に有益である。
【図面の簡単な説明】
【００２０】
【図１−１】本発明による清拭物品の類例を示す斜視図であり、その内、（イ）はポケットタイプ、（ロ）はピロー包装タイプ、（ハ）は詰替タイプを示す。
【図１−２】本発明による清拭物品の類例を示す斜視図であり、その内、（イ）はボックスタイプ、（ロ）はボトルタイプを示す。
【図２】本発明による清拭物品の類例を示す斜視図であり、その内、（イ）はスティックタイプ、（ロ）はパックタイプを示す。
【図３】本発明に用いる清拭材の構成例を示すブロック線図である。
【図４−１】本発明による清拭物品の第一製造工程図である。
【図４−２】本発明による清拭物品の第二製造工程図である。
【図４−３】本発明による清拭物品の第三製造工程図である。
【図５】多段式電気透析処理手段による海水・海洋深層水の分離工程と、等張液及び希釈水との関係を示すブロック線図である。
【図６】レトルト装置の平面図である。
【発明を実施するための最良の形態】
【００２１】
本発明による清拭物品の第一実施形態を使い捨てポケットタイプ１１において説明すれば、ポケットタイプ１１は図１−１（イ）の如く、清拭材５と、清拭材５を収容密封する包装体６とから成り、清拭材５は清拭素材２に少なくとも保存剤９と海水又は海洋深層水由来の等張液３とを含浸するものであり、具体的には、清拭素材２としてパルプ性の吸水性繊維を、海洋深層水として日本海固有冷水Ｎを用い、この吸水性繊維に対し図３の如く等張液３と保存剤９を好ましくは０．１〜３０重量％含浸させてウェットティッシュ５１と成し、このウェットティッシュ５１を樹脂フイルムから成る小袋体６１にて少なくとも水密状態に密封するものであり、ウェットティッシュ５１を１枚収納するものを使い捨てタイプと言い、２枚〜３枚収納するものを携帯タイプと言う。
ウェットティッシュ５１は図４−１の製造工程に示す如く、保存剤９と日本海固有冷水Ｎの等張液３との混合液を貯えた貯液槽２０に清拭素材２を浸し、清拭素材２に予め保存剤９と等張液３を所要量含浸させ、これを小袋体６１の開口部６１ａより内部に一枚入れ、開口部６１ａを密封したものである。
保存剤９は、浸透圧を２００〜４００ｍＯｓｍに調整した等張液３に混合する場合と、等張液３に保存剤９を混合した状態で浸透圧を２００〜４００ｍＯｓｍに調整する場合とがある。そして、保存剤９を含浸することでウェットティッシュ５１の品質を一定期間に亘り保つことが出来るし、等張液３との相乗効果により治癒力が期待できるので、傷口の拭き紙としても有益である。
【００２２】
等張液３（先に発明した先願等張液）は、図５の如く日本海固有冷水Ｎを希釈水４で希釈調整し、生理食塩液と同等の浸透圧２００〜４００ｍＯｓｍに調整したものであり、具体的には、日本海固有冷水Ｎを、日本海固有冷水Ｎより分離した深層水系淡水ｎ１で浸透圧２００〜４００ｍＯｓｍに希釈したものである。
深層水系淡水ｎ１は本願の出願人が独自に開発した多段式電気透析処理手段８にて日本海固有冷水Ｎより分離したものであり、多段式電気透析処理手段８は図５の如く第一処理槽８１にて日本海固有冷水Ｎを深層水系淡水ｎ１と濃縮深層水ｎ２に分離し、第二処理槽８２にて濃縮深層水ｎ２をミネラル濃縮水ｎ３と濃塩水ｎ４に分離するものである。
上記の如く製造したポケットタイプ１１を使用する場合、先ず小袋体６１を開口し、開口部６１ａよりウェットティッシュ５１を取出し、そのウェットティッシュ５１で手や肌の汚れを拭き取る。
ウェットティッシュ５１における等張液３と保存剤９の含浸量が、０．１重量％未満であると湿り気不足を生じるし、３０重量％を超えると拭き取り面に水残りを生ずる。
【００２３】
本発明による清拭物品の第二実施形態を、第一実施形態と相違する点について説明すれば、清拭素材２に対する等張液３と保存剤９の含浸手段が相違するものであって、第二実施形態の清拭材５は図４−２の如く、包装体６の小袋体６１を開口し、小袋体開口部６１ａより内部に先ず保存剤９と日本海固有冷水Ｎ由来の等張液３を一定量入れ、次いで清拭素材２を等張液３と保存剤９との混合液に浸かるように収容した後、小袋体６１の開口部６１ａを密封したものである。
清拭素材２としてパルプ性の吸水性繊維を用いているので、小袋体６１に収容した後、小袋体６１に入れられていた等張液３と保存剤９との混合液を製造工程から保管に至るまでに吸い上げ、等張液３を均等に含浸した清拭材５、即ち、ウェットティッシュ５１を収容することとなる。
等張液３の含浸手段が第一実施形態と相違するものの、生産工場からの出荷時、及び消費者において使用する時には相違がない。
【００２４】
本発明による清拭物品の第三実施形態を、第一第二実施形態と相違する点について説明すれば、清拭物品１が図１−１（ロ）のピロー包装タイプ１２であり、このピロー包装タイプ１２にあっては、例えば、所要長さの清拭素材２に等張液３と保存剤９を含浸し、清拭材５を形成した後、その清拭材５を互い違いに折り重ね、所要枚数（１０枚程度）からなる積層体をつくり、これをラミネートフィルムから成るピロー袋体６２に入れて密封するか、先ず、所要長さの清拭素材２を互い違いに折り重ね、所要枚数からなる積層体をつくり、その積層体を等張液３と保存剤９の混合液に浸漬した後、包装工程へ移行して密封するものである。
ピロー包装タイプ１２にあっては、使用時にピロー袋体６２の袋取出口６２ａを塞いでいるピロー６２ｂの一部を剥がし、袋取出口６２ａを開口し、必要数のウェットティッシュ５１を取出した後、袋取出口６２ａをピロー６２ｂで塞ぎ、次に使用するまで密封しておくものである。
図１−１（ハ）の如く詰替タイプ１３の清拭物品１にあっては、包装体６として角筒袋体６３を用いる以外、ピロー包装タイプ１２と略同様の手段で製造し得るから、説明を省略する。
【００２５】
本発明による清拭物品の第四実施形態を、第一乃至第三実施形態と相違する点について説明すれば、清拭物品１が図２（イ）の如くスティックタイプ１６であり、スティックタイプ１６の清拭材５は等張液３と保存剤９を含浸した紙おしぼり５２で、包装体６は小袋体６１を長手方向に延長した細長袋体６６であり、細長袋体６６を筒状に膨らませ、内部に紙おしぼり５２を１枚収納して密封したものである。
紙おしぼり５２は、清拭素材２としてパルプ性の給水不織布を用い、この不織布に予め等張液３と保存剤９を含浸しておき、その清拭素材２を一端側より他端側に向けて巻付けてロール状とするか、一定の大きさを有する清拭素材２を一端側より他端側に向けて巻付けてロール状とし、そのロール状清拭素材２を等張液３と保存剤９の混合液に浸し、後からを含浸するものである。
この紙おしぼり５２は、ウェットティッシュ５１と同様に、身体（主に手、指）における汚れの拭き取り、赤ちゃんや介護用のおしり拭き、身の回りにある器物の汚れ拭き取り等に利用する。
【００２６】
本発明による清拭物品の第五実施形態を、第一乃至第四実施形態と相違する点について説明すれば、清拭物品１が図２（ハ）の如くパックタイプ１７であり、このパックタイプ１７の清拭材５は等張液３と保存剤９を含浸した濡れコットン５３で、包装体６はラミネート材から成るパック袋体６７であり、そのパック袋体６７に濡れコットン５３を１枚〜複数枚密封したものである。
濡れコットン５３は、清拭素材２としてパルプ性の給水性厚手不織布を用い、この厚手不織布に予め等張液３と保存剤９を含浸するか、パック袋体６７に等張液３と保存剤９を入れ、その混合液に厚手不織布を浸し、後から含浸するものである。
厚手不織布の代わりに、一定の大きさを有する清拭素材２を用い、これに予め等張液３と保存剤９を含浸し、その等張液３等を含浸した清拭素材２を二つ折り又は三つ折りに折り重ねるか、一定の大きさを有する清拭素材２を先ず二つ折り又は三つ折りに折り重ね、その折り重ね状態で等張液３と保存剤９の混合液に浸し、包装体６に収納することも可能である。
【００２７】
本発明による第六実施形態を、第一乃至第五実施形態と相違する点について説明すれば、図３の如く清拭材５は清拭素材２に等張液３と保存剤９の他に補助成分７を含浸するのもであり、補助成分７として化粧品の効能を有する化粧品成分７１と、趣向性を有する趣向成分７２との少なくとも１成分を用いる。
補助成分７は、浸透圧を２００〜４００ｍＯｓｍに調整した等張液３に、保存剤９と共に混合する場合と、等張液３と保存剤９と補助成分７の混合状態において浸透圧を２００〜４００ｍＯｓｍに調整する場合とがある。
即ち、清拭材５に化粧品成分７１と等張液３と保存剤９を含浸し、肌の拭き紙等として使用すれば、その相乗効果により肌の保護保湿効果を一層向上させることができるし、趣向成分７２と等張液３と保存剤９を含浸すれば、その相乗効果によりいやし効果等が期待できる。
【００２８】
実験例１（本発明による清拭材５の検証）
試料１＝第一実施形態にて製造した清拭材５のウェットティッシュ５１
試料２＝第三実施形態にて製造した清拭材５のウェットティッシュ５１
試料１，２の希釈水４＝日本海固有冷水Ｎを多段式電気透析処理手段８にて分離・精製した深層水系淡水ｎ１を用いる。
試料１，２の等張液３＝日本海固有冷水Ｎと深層水系淡水ｎ１とを用いて浸透圧３０５ｍＯｓｍに調整した。浸透圧は自動浸透圧測定装置（ＯＭ−６０３０、京都第一科学（株））にて測定した。
試料１，２の清拭素材２と包装体６の種類、及び清拭素材２に対する水分（等張液３と保存剤９）の含浸率は表１の通りである。
【００２９】
【表１】
2011194097.tif 000003
【００３０】
第六実施形態による等張液３と補助成分７を含浸させた清拭物品。
試料３＝試料１に化粧品成分７１を含浸させたウェットティッシュ５１
試料４＝試料２に化粧品成分７１を含浸させたウェットティッシュ５１
化粧品成分７１＝グリセリン、ジグリセリン、ポリグリセリン、プロピレングリコール、エチレングリコール、ブドウ糖、トレハロース、グリシンベタイン、ピロリドンカルボン酸、ピロリドンカルボン酸塩、乳酸等の１種類以上を用いる。
試料３，４の包装体６には、試料１，２と同じものを用い、水分の含浸率も試料１，２と同等に調整した。
【００３１】
対照品１＝ポケットタイプのウェットティッシュ
清拭材＝パルプ性の吸水性繊維を抗菌処理したもの。
対照品２＝ピロー包装タイプのウェットティッシュ（出願人の製品）
清拭材＝天然コットンに水、エタノール、ベルザルコニウムクロリド、グルコン酸クロルヘキサシジン、デヒドロ酢酸Ｎａを含浸させたもの。
対照品１，２の清拭素材は、試料１，２と同様のものを選択した。
対照品１，２の水分含浸率は、試料１，２と同様のものを選択した。
【００３２】
試料１〜４と対照品１，２をパネラーによって以下の項目毎に官能試験を行った。
パネラー＝出願人の企業に勤務する社員２５名
（官能試験日の前２ケ月間に健康を害したことのない者を選んで実施した）
パネラー２５名の性別と年代
【表２】
2011194097.tif 000004
【００３３】
（１）なめらかさ
類似した試料と対照品を個別に手で触り、その触感を下記の評価基準で比較した。
対照品より大変になめらかである：２点
対照品よりややなめらかである：１点
対照品と変わらない：０点
対照品よりなめらかさがない：―１点
その結果を表３に示す。
【００３４】
【表３】
2011194097.tif 000005
【００３５】
（２）しなやかさ
類似した試料と対照品を個別に手で触り、その触感を下記の評価基準で比較した。
対照品より大変にしなやかである：２点
対照品よりややしなやかである：１点
対照品と変わらない：０点
対照品よりしなやかさがない：―１点
その結果を表４に示す。
【００３６】
【表４】
2011194097.tif 000006
【００３７】
（３）べたつき状態
類似した試料と対照品で個別に肌（腕）を拭き、腕のべたつき状態を下記の評価基準で比較した。
対照品よりべたつきを感じない：２点
対照品よりべたつきをやや感じる：１点
対照品と変わらない：０点
対照品よりべたつきを感じる：―１点
その結果を表５に示す。
【００３８】
【表５】
2011194097.tif 000007
【００３９】
（４）肌に対する保護保湿感
水道水で手を洗った後、類似した試料と対照品で個別に水を拭き取り、拭き取った後の手肌の感触を下記の評価基準で比較した。
対照品より爽快感を感じる：２点
対照品より爽やかさを感じる：１点
対照品と変わらない：０点
対照品より違和感を感じる：―１点
その結果を表６に示す。
【００４０】
【表６】
2011194097.tif 000008
【００４１】
表２〜表５から、試料１〜４は対照品１，２に比べてなめらかさ、しなやかさが優れており、何れも肌触り性が優れていると共に、べたつきの無さ、保護保湿感も優れているとされた。特に、試料３，４は、何れの官能試験においても試料１，２より高い評価が得られたが、その要因として、等張液３の他に補助成分７の化粧品成分７１を含浸させたことにあると思われる。
全般的に見て、試料１〜４の総ては、各官能試験において好評価を得ており、その要因として、浸透圧を２００〜４００ｍＯｓｍに調整した等張液３を用いたことにあると思われる。何れにしても、使用上、全く問題がないものと思われる。
【００４２】
実験例２（試料１乃至試料４の日焼に対する検証）
パネラー＝出願人の企業に勤務する社員２４名
（実験日の前２ケ月間に健康を害したことのない者を選び実施した）
実験日の天候＝晴天、平均気温＝３０℃
実験時間＝１２〜１５時までの３時間、
日焼箇所＝両腕を衣類より外に出し、野外作業を行った。
パネラー２４名の性別と年代
【表７】
2011194097.tif 000009
各年代の男女を４班に分けた。
【００４３】
１，第一班（男性３名、女性３名）
左腕の日焼部を試料１で覆い、右腕の日焼部を対照品１で覆い、そのまま略３０分程度放置しておき、３０分経過後、試料１と対照品１を取外すと、試料１の覆い部では日焼けによるほてりは略おさまったが、対照品１の覆い部では日焼けによるほてりと痛みがあった。そのまま一中夜経過した時点では、試料１の覆い部では、ほてりや痛みはなかったが、対照品１の覆い部にはほてりや痛みが残った。
２，第二班（男性３名、女性３名）
左腕の日焼部を試料２で覆い、右腕の日焼部を対照品２で覆い、そのまま略３０分程度放置しておき、３０分経過後、試料２と対照品２を取外すと、試料２の覆い部の日焼けによるほてりはおさまった。そのまま一中夜経過した時点でもほてりや痛みを感じなかったが、対照品２の覆い部にははほてりや痛みが残った。全体的に、試料１との相違点は少なかった。
３，第三班（男性３名、女性３名）
左腕の日焼部に試料３で覆い、右腕の日焼部を対照品１で覆い、そのまま略３０分程度放置しておき、３０分経過後、試料３と対照品１を取外すと、試料３の覆い部の日焼けによるほてりは解消した。そのまま一中夜経過した時点でもほてりや痛みもなく快調であった。対照品１の覆い部は、３０分経過時点でほてりや痛みが残った。
４，第四班（男性３名、女性３名）
左腕の日焼部を試料４で覆い、右腕の日焼部を対照品２で覆い、そのまま略３０分程度放置しておき、３０分経過後、試料４と対照品２を取外すと、試料４の覆い部の日焼けによるほてりは完全に解消していた。そのまま一中夜経過した時点でもほてりや痛みもなく快調であった。対照品２の覆い部ははほてりや痛みが残った。
試料３との相違点は少なかったが、試料３，４は試料１，２より良い結果が得られた。
【００４４】
実験例３（試料３のかすり傷に対する検証）
パネラー＝出願人の企業に勤務する男性社員１名
（右肘にかすり傷をした者、被験者に実験の目的を伝え、了解を得て行う）
かすり傷の範囲＝腕の長さ方向に約１０ｃｍ、幅方向に約４ｃｍ
実験方法＝かすり傷部の半分を試料３のウェットティッシュ５１で拭き、新たなウェットティッシュ５１で覆い、残り半分を対照品２のウェットティッシュで拭き、新たな対照品２で覆い、１２時間に亘り経過を観察した所、試料３で処理したかすり傷部の痛みはほとんど感じなかったが、対照品２で処理したかすり傷部に痛みが残った。その後、約１２時間毎に新しいウェットティッシュ５１と対照品２を取替え、３日後の経過において、本発明品のウェットティッシュ５１で処置した箇所の回復が早かった。
このことは、先願等張液の実験例からも伺い知ることができることです。
【００４５】
実験例４（スティックタイプ１６の検証）
試料５＝第四実施形態にて製造したスティックタイプ１６の紙おしぼり５２
試料６＝試料５に化粧品成分７１を含浸させた紙おしぼり５２
試料５，６の希釈水４＝試料１，２と同じ深層水系淡水ｎ１を用いる。
試料５，６の等張液３＝試料１，２と同じ浸透圧３０５ｍＯｓｍに調整した。
試料５，６の清拭素材２としてパルプ性の給水不織布を用いた。
試料５，６の包装体６＝長細袋体６６を用いる。
対照品３＝スティックタイプの紙おしぼり
サンナップ株式会社（東京都千代田区神田佐久間町３−２１−２）
清拭材＝バージンパルプの不織布に水、アルコール、保存剤等を含浸させたもの。
【００４６】
試料５，６と対照品３の官能試験を行った。
パネラー＝出願人の企業に勤務する社員２０名
（官能試験日の前２ケ月間に健康を害したことのない者を選んで実施した）
パネラー２０名の性別と年代
【表８】
2011194097.tif 000010
各パネラーに試料５，６と対照品３を与え、実験例１と同様に、（１）なめらかさ、（２）しなやかさ、（３）べたつき状態、（４）肌に対する保護保湿感について試験を行った。
その結果の集計を表９に示す。
【００４７】
【表９】
2011194097.tif 000011
その結果、試料５，６は対照品３より有意であったが、ウェットティッシュ５１や濡れコットン５３より「なめらかさ」と「しなやかさ」では少し劣った。但し「べたつき状態」や「肌に対する保護保湿感」については、略同様の感想が得られた。
【産業上の利用可能性】
【００４８】
本発明による清拭素材２の製造工程は実施形態に限定されるものではなく、例えば図４−３の如く、清拭素材２にスプレー２１で等張液３と保存剤９の混合液を吹付けるか、等張液３と保存剤９と補助成分７との混合液を吹付けて含浸させることも可能である。
希釈水４として、深層水系淡水ｎ１の代わりに、海水より分離した海水系淡水を用いて希釈調整することも可能である。更に、陸系淡水と人工的に製造した蒸留水との少なくとも一方を用いることも可能である。何れにしても、浸透圧を２００〜４００ｍＯｓｍに希釈調整することが重要である。
【００４９】
清拭物品１がボックスタイプ１４の場合、包装体６として図１−２（イ）の如く合成樹脂製又は紙製の箱状容器６４を用いる。この箱状容器６４は、箱本体６４ａ内に等張液３と保存剤９を浸させたウェットティッシュ５１を一定量収容するものであり、蓋体６４ｂの蓋取出口６４ｃからウェットティッシュ５１を一枚ずつ引き出すものである。
清拭物品１がボトルタイプ１５の場合、包装体６として図１−２（ロ）の如く合成樹脂製又は紙製の筒状容器６５を用いる。この筒状容器６５は、有底筒体６５ａ内に等張液３と保存剤９を浸させたウェットティッシュ５１を一定量収容するものであり、蓋体６５ｂを開放し、有底筒体６５ａの底取出口６５ｃからウェットティッシュ５１を一枚ずつ引き出すものである。
【００５０】
清拭素材２は、紙製に限定されるものではなく、材質は自由であり、例えば布製、不織布、抗菌性繊維を用いることも可能である。また、所要長さに裁断した清拭素材２を互い違いに折り重ね、積層体をつくり、それを等張液３と保存剤９の混合液中へ浸漬し、等張液３と保存剤９を含浸させることも可能である。
本発明の清拭物品は、上述した製品以外にも、皮膚に直接接触して使用する各種の衛生用繊維製品、例えばガーゼ、清拭布、カット綿等にも適用可能である。
【００５１】
ピロー包装タイプ１２と詰替タイプ１３にあったは、ウェットティッシュ５１を互い違いに折り重ねて積層し、その積層体を収納することも可能である。
紙おしぼり５２は、前記実施例に限定されるものではなく、調理時又は食事の際に使用されるシート状の前掛け、或は布巾や拭き紙、キッチンタオルを含むものである。
ポケットタイプ１１と詰替タイプ１３とスティックタイプ１６とパックタイプ１７、特にパックタイプ１７の清拭物品１にあっては、これらを包装食材において一般に用いられている滅菌手段と同様に、図６の如くレトルト装置３０によりレトルト処理すれば、缶詰や瓶詰と原理は同じで、１年以上の保存性を得ることができる。即ち、レトルト装置３０の扉３１を開放し、釜３２を開口し、釜３２の内部に清拭物品１を入れ、扉３１を締め、エアタンク３３により釜３２内を例えば圧力０ｋｇ／ｃｍ２、温度１００〜１２０℃で４〜２０分間以上に亘り加圧加熱殺菌する。
【００５２】
実験例２において、試料１，３の日焼部に対する効果を検証しなかったが、試料１，３と試料２，４は略同じウェットティッシュ５１であるから、少なくとも試料２，４と同様の効果が得られるものと思われる。
実験例３において、試料１，２及び試料４のかすり傷に対する効果を検証しなかったが、試料１，２は試料３と略同様の効果が得られるものと思われるし、試料４は更に有意な効果が得られるものと思われる。
尚、本発明による清拭物品の保存試験、具体的には、試料１〜６におけるカビや細菌の繁殖状態を、経時変化調査する予定である。
【符号の説明】
【００５３】
１  清拭物品、１１  ポケットタイプ、１２  ピロー包装タイプ、１３  詰替タイプ
１４  ボックスタイプ、１５  ボトルタイプ
１６  スティックタイプ、１７  パックタイプ
２  清拭素材
３  等張液
４  希釈水
５  清拭材、５１  ウェットティシュ、５２  紙おしぼり
５３  濡れコットン
６  包装体
６１  小袋体，６１ａ  開口部
６２  ピロー袋体、６２ａ  袋取出口、６２ｂ  ピロー
６３  角筒袋体
６４  箱状容器、６４ａ  箱本体、６４ｂ  蓋体、６４ｃ  蓋取出口
６５  筒状容器、６５ａ  有底筒体、６５ｂ  蓋体、６５ｃ  底取出口
６６  長細袋体
６７  パック袋体
７  補助成分、７１  化粧品成分、７２  趣向成分
８  多段式電気透析処理手段、８１  第一処理槽、８２  第二処理槽
９  保存剤
２０  貯液槽
２１  スプレー
３０  レトルト装置、３１  釜、３２  扉、３３  エアタンク
Ｎ  海洋深層水（日本海固有冷水）
ｎ１  深層水系淡水、ｎ２  濃縮深層水、ｎ３  ミネラル濃縮水、ｎ４  濃塩水
【図１−１】
2011194097.tif 000012
【図１−２】
2011194097.tif 000013
【図２】
2011194097.tif 000014
【図３】
2011194097.tif 000015
【図５】
2011194097.tif 000016
【図６】
2011194097.tif 000017
【図４−１】
2011194097.tif 000018
【図４−２】
2011194097.tif 000019
【図４−３】
2011194097.tif 000020